(57)【要約】【課題】  既設ドアを撤去した既設ドア枠に吊支持することによって見込寸法が小さい制約を受ける新設ドアのこじ開けの可能性を解消し、改装ドアの防犯性を向上する。【解決手段】  新設ドア２の吊元側を除く外周３辺に端部枠３を配置し、該端部枠３の張出突条３２によって既設ドア枠１の室外側見付面を被覆することにより、新設ドア２の外周端部の見込面と既設ドア枠１の室外側見込面１５との間の空隙を内外方向に遮断することによって、バール挿入の新設ドア２こじ開けを防止する。端部枠３は、鋼板を折曲形成し又はアルミ押出材によって一体成形し、その枠基部３１によって新設ドア２の外周端部を受入れるように配置して新設ドア２の見込面に対してネジ３４止めして、新設ドア２へ固定してネジ３４の露出を避ける。防火性、防音性等のドア性能を向上することができる。【選択図】  図１
2010255226.tif 000002
【特許請求の範囲】
【請求項１】
既設ドアを撤去した既設ドア枠に既設ドアと交換的に新設ドアを吊設置して、該既設ドア枠と新設ドアとの間に配置した気密材によって気密性を確保するようにした改装ドアであって、上記新設ドアの吊元側を除く外周３辺にそれぞれ新設ドアの端部を被嵌し且つその見込面に螺着して既設ドア枠の上枠、下枠及び戸当側縦枠の各室外側見付面に重合する張出突条を有する端部枠を設置し、該張出突条によって既設ドア枠と新設ドアの外周３辺の空隙を遮断してなることを特徴とする改装ドア。
【請求項２】
上記張出突条の室内側に気密材を追加的に設置して、該気密材によって上記空隙遮断部位の気密性を確保して内外２重の高気密措置を施してなることを特徴とする請求項１に記載の改装ドア。
【発明の詳細な説明】
【技術分野】
【０００１】
本発明は、旧住宅公団やマンション等の既設ドアを新設ドアに改装した改装ドアに関する。
【背景技術】
【０００２】
この種の改装ドアは、本出願人らによって数種のものが提案されており、これらは、例えば、既設ドアを撤去した既設ドア枠に既設ドアと交換的に新設ドアを吊設置して、該既設ドア枠と新設ドアとの間に配置した気密材によって気密性を確保するようにしたものとされ、既設ドア枠を残存するものであり、該既設ドア枠の斫り作業を必要とせず、従って、騒音や塵埃の発生を可及的に抑制して、比較的短時間に効率よく工事を行なうことができ、新設ドアを、鋼板プレスドアの既存ドアを、断熱防音材を充填した鋼製の両面フラッシュドアとすることによって、その居住性を可及的良好のものとすることができる。
【先行技術文献】
【特許文献】
【０００３】
【特許文献１】特開２００５−３０７６９６号公報
【発明の概要】
【発明が解決しようとする課題】
【０００４】
しかし乍ら、この改装ドアの場合、既設ドア枠を残存するところ、該既設ドア枠は、室外側見込面と室内側見込面との間に、既設ドアの外周端部を対接する戸当段部を備えており、該既設ドア枠乃至その新設被覆枠の室外側見込面に囲繞される枠内に新設ドアを収容するように新設ドアを吊設置し、新設ドア室内側外周に配置した気密材を該戸当段部に対接することによってその気密性を確保するものとされる。しかし乍ら、このように改装した改装ドアにあって、上記室外側見込面の見込（奥行）は、当時のＫＪ規格によって４１ｍｍとされているから、新設ドアの見込は、４０ｍｍ乃至これ以下とされ、新築時に設置する近時の新装ドアの見込に較べて１〜２ｃｍ程度小さく形成されたものとなる。
【０００５】
このとき、新設ドアの吊元側は上下のヒンジによって吊支持されるが、該吊元側以外の外周３辺は、その開閉のために既設ドア枠乃至新設被覆枠との間に数ｍｍ程度の空隙を配置するように形成するから、該空隙に、例えばバール先端を挿入してこじ開けるようにすると、新装ドアと比較して見込の小さい新設ドアは、その変形を招いたり、ラッチ錠のラッチが外れてドアが開いたりする可能性を必ずしも否定し得ず、従って、このように改装ドアであることによって見込が小さくなる制約を受ける新設ドアの防犯性を更に向上することが望まれる。
【０００６】
本発明はかかる事情に鑑みてなされたもので、その解決課題とするところは、上記見込の小さい制約を受ける新設ドアの防犯性を可及的簡易にして確実に向上し得るようにした改装ドアを提供するにある。
【課題を解決するための手段】
【０００７】
上記課題に沿って本発明は、上記見込の小さい新設ドアの吊元側を除く外周３辺に、その外周端部を受け入れるように被嵌し且つその見込面に螺着して、室外側先端に配置した張出突条によって、該外周３辺が対面する既設ドア枠乃至新設被覆枠の室外側見付面を覆うようにして、新設ドアと既設ドア枠乃至新設被覆枠との間の空隙を遮断して、該空隙の露出を防止して、空隙の存在による防犯性低下の可能性を解消し、上記見込を小さくすべき制約を受ける新設ドアの防犯性を可及的簡易にして確実に向上するとともに上記空隙の遮断による遮音性、防火性、光漏れ防止性等のドア性能を向上するようにしたものであって、即ち、請求項１に記載の発明を、既設ドアを撤去した既設ドア枠に既設ドアと交換的に新設ドアを吊設置して、該既設ドア枠と新設ドアとの間に配置した気密材によって気密性を確保するようにした改装ドアであって、上記新設ドアの吊元側を除く外周３辺にそれぞれ新設ドアの端部を被嵌し被嵌し且つその見込面に螺着して既設ドア枠の上枠、下枠及び戸当側縦枠の各室外側見付面に重合する張出突条を有する端部枠を設置し、該張出突条によって既設ドア枠と新設ドアの外周３辺の空隙を遮断してなることを特徴とする改装ドアとしたものである。
【０００８】
請求項２に記載の発明は、上記に加えて、改装ドアは、上記既設ドア枠乃至新設被覆枠と新設ドアとの間に配置した気密材によって気密性を確保したものとされるが、長期使用の既設ドア枠を残存使用することによって、その歪みや変形等に起因して気密材との接触不良が生じる可能性が残り、常に良好な設計品質を確保し得るとは限らず、従って、上記既設ドア枠乃至新設被覆枠の室外側見付面と重合する張出突条に更に気密材を設置し、該室外側見付面との間で更に気密性を確保して、内外２重の気密性確保によって高度な高気密化を図るとともに該内外２重の気密性確保によって上記遮音性や防火性を可及的に向上し得るものとするように、これを、上記張出突条の室内側に気密材を追加的に設置して、該気密材によって上記空隙遮断部位の気密性を確保して内外２重の高気密措置を施してなることを特徴とする請求項１に記載の改装ドアとしたものである。
【０００９】
本発明は、これらをそれぞれ発明の要旨として、上記課題解決の手段としたものである。
【発明の効果】
【００１０】
本発明は以上のとおりに構成したから、請求項１に記載の発明は、それぞれ、新設ドアの吊元側を除く外周３辺に、その外周端部を受け入れるように被嵌し且つその見込面に螺着して、室外側先端に配置した張出突条によって、該外周３辺が対面する既設ドア枠乃至新設被覆枠の室外側見付面を覆うようにして、新設ドアと既設ドア枠乃至新設被覆枠との間の空隙を遮断して、該空隙の露出を防止して、空隙の存在による防犯性低下の可能性を解消し、上記見込を小さくすべき制約を受ける新設ドアの防犯性を可及的簡易にして確実に向上するとともに上記空隙の遮断による遮音性、防火性、光漏れ防止性等のドア性能を向上した改装ドアを提供することができる。
【００１１】
請求項２に記載の発明は、上記に加えて、長期使用の既設ドア枠を残存使用することによって、その歪みや変形等に起因して気密材との接触不良が生じる可能性が残り、常に良好な設計品質を確保し得るとは限らない改装ドアにあって、上記既設ドア枠乃至新設被覆枠の室外側見付面と重合する張出突条に更に気密材を設置し、該室外側見付面との間で更に気密性を確保して、内外２重の気密性確保によって高度な高気密化を図るとともに該内外２重の気密性確保によって上記遮音性や防火性を可及的に向上したものとすることができる。
【図面の簡単な説明】
【００１２】
【図１】改装ドアの縦断面図である。
【図２】改装ドアの横断面図である。
【図３】他の例に係る改装ドアの縦断面図である。
【図４】図３の改装ドアの横断面図である。
【図５】更に他の例に係る改装ドアの縦断面図である。
【図６】図５の改装ドアの横断面図である。
【図７】更に他の例に係る改装ドアの縦断面図である。
【図８】図７の改装ドアの縦断面図である。
【図９】更に他の例に係る改装ドアの縦断面図である。
【図１０】図９の改装ドアの横断面図である。
【発明を実施するための形態】
【００１３】
以下図面の例に従って本発明を更に具体的に説明すれば、図１及び図２において、Ａは改装ドアであって、該改装ドアＡは、既設ドアを撤去した既設ドア枠１に既設ドアと交換的に新設ドアを吊設置して、該既設ドア枠１と新設ドア２との間に配置した気密材２７によって気密性を確保するようにしたものとしてある。
【００１４】
改装ドアＡは、旧日本住宅公団が設定した、所謂ＫＪ規格に基づいて製作設置され、２０〜３０年程度の長期に亘って使用された既存鋼製ドアから、そのプレスドアの既設ドアとこれを吊支持した既存ヒンジを撤去して残存した既存ドア枠１に、必要に応じて塗装を施し、吊元側縦枠１３に、例えば耐震用の新設ヒンジ２２を設置し、該新設ヒンジ２２によって新設ドア２を吊設置したものとしてある。
【００１５】
既設ドア枠１は、上記ＫＪ規格に従って、室内外の見込面１５、１７とその間の、既設ドアのプレス形成した框部を対接受止めした戸当段部１６を断面Ｓ字状に配置し、室内外にそれぞれ見付面を配置するとともにその先端を対向方向に折曲したアンカー固定用の折曲条を備えた共通枠を用い、これらによる上枠１１、下枠１２、吊元側縦枠１３、戸当側縦枠１４を矩形に枠組みしたものとしてあり、このとき、その室外側見込面１５の見込を、ＫＪ規格の４１ｍｍ、室内側見込面の見込を３８ｍｍ、戸当段部の見付を１２ｍｍとしてある。
【００１６】
新設ドア２は、その吊元側端部に、上下の上記耐震用の新設ヒンジ２１によって該端部を吊元側縦枠１３に吊支持して、上記既設ドア枠１の室外側見込面１５に開閉自在に収容して設置してある。このとき、該新設ドア２は、既設ドア枠１の上記室外側見込面１５の見込４１ｍｍに合せて、その見込を１ｍｍ小さい４０ｍｍとし、その室外側見付面を、既設ドア枠の室外側見付面との間で１ｍｍの段差をなすように収容して、その設置を行なってある。
【００１７】
新設ドア２は、鋼材の中骨２２に、室内外の鋼板の表面板２３を張着し、表面板２３間に防音断熱材２４を充填して形成して、その防音断熱性を高度に備えた鋼製の両面フラッシュドアとしてある。このとき、該新設ドア２は、その室内側見付面の外周に、該外周を囲繞するように見込方向に凹陥した断面Ｌ字状の気密用段部２５を備えてあり、本例にあって、該気密用段部２５に、例えば、底板を、同じく断面Ｌ字状とした中骨２２にネジ止めし、既設ドア枠１の室外側見込面１５の対面側を開口した断面Ｕ字状をなす気密材固定条２６を配置し、該気密材固定条２６に、嵌合基部を嵌合し、必要に応じて接着等を施すことによって、例えば、断面Ｔ字状、Ｌ字状等にして合成樹脂製の気密材２７を固定してあり、これによって、該新設ドア２の室内側見付面１５の外周に気密材２７を一連に配置し、その室内側に向けて突出した突条を既設ドア枠１の戸当段部１６の見付面に対接することによって、該既設ドア枠１と新設ドア２間の気密性を確保するようにしてある。
【００１８】
このように既設ドア枠１に収容した新設ドア２には、その吊元側を除く外周３辺にそれぞれ新設ドア２の端部を被嵌し且つその見込面に螺着して既設ドア枠１の上枠１１、下枠１２及び戸当側縦枠１４の各室外側見付面に重合する張出突条３２を有する端部枠３を設置し、該張出突条３２によって既設ドア枠１と新設ドア２の外周３辺の空隙を遮断したものとしてある。
【００１９】
本例にあって該端部枠３は、例えば、新設ドア２の外周端部を受け入れる受入溝を画する断面Ｕ字状の枠基部３１と、該枠基部３１から室外側に、上記新設ドア２と既設ドア枠１の１ｍｍの段差を吸収し、更に、例えば１、２ｍｍ程度の僅かに室外側に向けて突出した位置に配置した張出突条３２を備えて、一体成形した、例えばアルミ押出材製のものとしてあり、このとき、本例の端部枠３は、その張出突条３２を、枠基部３１の底板を室外側に延長してその先端を、新設ドア２の室外側見付面に平行となるように、底板に直交して張出折曲したものとしてあり、本例にあって該端部枠３の枠基部３１の室外側起立条と該張出突条３２の先端には、これらを傾斜連結する傾斜条３３を配置し、該部位を断面三角形状をなす中空部として、端部枠３の補強をなすようにしてある。
【００２０】
該端部枠３は、その枠基部３１によって、新設ドア２の室外側見付面と気密用段部２５間の外周端部を、その受入溝に受入れ、留め切りした長手方向端部を相互に対接した状態で、新設ドア２の端面に対接した枠基部３１の底板を、該底板側からのネジ３４によってネジ止めすることによって、その固定を行なってあり、これによって新設ドア２の室外側見付面を、上記傾斜条３３を介して拡大するように張出突条３２で一連に囲繞するとともに該張出突条３２を既設ドア枠１、即ち、その上枠１１、下枠１２及び戸先側縦枠１４の各室外側見付面に近接して対面し、該室外側見付面を被覆し、該既設ドア枠１と新設ドア２の外周３辺の見込面間に生じた空隙を、その室外側で室内外方向に遮断してある。従って、該遮断によって、該空隙の露出を防止し、バール等の挿入による新設ドア２のこじ開けを防止して、上記見込を小さくすべき制約を受ける新設ドア２の防犯性を簡易且つ確実に向上し、併せて空隙遮断による遮音性、防火性、光漏れ防止性等のドア性能を可及的に向上したものとし、また、新設ドア２に対する端部枠３のネジ止めを、新設ドア２の見込面、即ち外周の端面に対して行なうことによって、改装ドアＡの室外側における該ネジ３４の露出を防止し、室外側からのネジ外しの可能性を解消して、該ネジ外しによる防犯性低下の可能性も解消してある。
【００２１】
図３及び図４は、他の例を示したもので、本例にあって上記新設ドア２に設置した端部枠３は、これを、例えば、鋼板を折曲形成した鋼製のものとした例であり、該端部枠３は、枠基部３１を、新設ドア２の上記気密用段部２５に対接する起立部と室外側に向けて新設ドア２の見込面に対接した底板とによって形成し、該枠基部３１の底板を室外側に延長してその先端に張出突条３２を備えるとともに該張出突条３２上に底板の延長部分と平行に起立したＬ字部３５を配置し、その先端を新設ドア２の室外側見付面に突き当て状に対接したものとし、本例にあって該底板の延長部とＬ字部３５によって形成された室内側に向けて開口した、例えば矩形断面の中空部にＬ字部補強用の補強芯材３６を、必要に応じて接着等の固定措置を施して嵌合配置して、該Ｌ字部を中実部位としてある。端部枠３は、鋼板に、上記枠基部３１の折曲、その底板の延長部から張出突条３２の折曲、該張出突条３２の折り返しによる張出突条の２重化の折曲、底板延長部を超えた位置におけるＬ字部の折曲の数次の折曲を施すことによって、これを形成したものとしてある。
【００２２】
本例にあって該端部枠３は、枠基部３１の起立部及びＬ字部３５の先端乃至その補強芯材３６によって受入溝を形成して、該受入溝に新設ドアの室外側見付面と気密用段部間の外周端部を受入れ、同様に新設ドアの外周端面に対接した枠基部３１の底板を該底板からのネジ３４でネジ止めすることによって、その固定を行なってあり、このとき必要に応じて補強芯材３６を新設ドア２の室外側見付面に接着するようにすれば、その固定強度を可及的高度に確保して、例えば室外側見付面との間にドライバー等を挿入してこれをこじ開けるといった破損行為も防止することができる。
【００２３】
これによって新設ドア２の室外側見付面を、同様に張出突条３２で一連に囲繞して、既設ドア枠１と新設ドア２の外周３辺の見込面間に生じた空隙を、同様にその室外側で遮断して、同じく防犯性、遮音性、防火性、光漏れ防止性等のドア性能の向上と、ネジ外しの可能性を解消したものとしてある。
【００２４】
図５及び図６は、更に他の例を示したもので、本例にあって改装ドアＡは、上記張出突条３２の室内側に気密材４１を追加的に設置して、該気密材４１によって上記空隙遮断部位の気密性を確保して内外２重の高気密措置を施した例であり、上記既設ドア枠１の戸当段部１６に新設ドア２の室内側の気密材２７を対接することによる新設ドア２の室内側気密措置に加えて、同じく既設ドア枠１の室外側見付面に新設ドア２の室外側の気密材４１を更に対接することによる新設ドア２の室外側気密措置を２重に施して、更に高気密化を図ったものとしてある。
【００２５】
本例にあって該気密材４１は、図１及び図２の改装ドアＡにおけるアルミ押出材の端部枠３を用い、これに気密材４１を配置してあり、本例にあって該端部枠３は、その新設ドアの室外側見付面からの張出突条の位置を更に突出して、該張出突条３２の裏面、即ち室内側に一連の気密材受溝を有する気密材受条４を一体成形し、その気密材受溝に、気密材４１の嵌合基部を嵌合し、同じく必要に応じて接着等を施すことによって、例えば、断面Ｔ字状等の合成樹脂製の気密材４１を固定してあり、これによって、該気密材４１の膨出先端を既設ドア枠１、即ち上枠１１、下枠１２、戸先側縦枠１４の室外側見付面に対接して、その既設ドア枠１の室外側見付面と新設ドア２間を一連に気密化することによって、上記室外側の気密措置としてある。
【００２６】
この場合、内外２重の気密性確保によって改装ドアＡにおける高気密化を図るとともに該内外２重の気密性確保によって上記遮音性や防火性を更に可及的に向上したものとすることができる。
【００２７】
図７及び図８は、更に他の例を示したもので、上記図３及び図４の改装ドアＡにおける鋼製の端部枠３を用い、これに気密材４１を配置した例であって、本例にあって、端部枠３に突出した張出突条３２の裏面に、該端部枠３とは別製の気密材受条４を配置し、該気密材受条４の気密材受溝に同様に気密材４１の嵌合基部を嵌合固定して、その膨出先端を既設ドア枠１の室外側見付面に対接して、内外２重の気密性確保を行なったものとしてある。このとき別製の気密材受条４は、その気密材受溝とともに長手方向全長に鋼製の張出突条３２に対接する固定フィン４２を一体成形したアルミ押出材によるものとしてあり、該固定フィン４２をそれぞれ張出突条３２のＬ字部３５側として、該気密材受条４に固定した気密材４１が張出突条３２の先端側に位置するように、上記張出突条３２と固定フィン４２を、ネジ、リベット等の固定具、本例にあってはリベットで固定してあり、このとき、該別製の気密材受条４は、その長手方向端部を、上記端部枠３と同様に留め切りして、同様に既設ドア枠１の室外側見付面と新設ドア間を一連に気密化するようにしてある。
【００２８】
図９及び図１０は、更に他の例を示したもので、上記既設ドア枠１の戸当段部１６と新設ドア２間の気密材を、既設ドア枠１の戸当段部１６側に配置し、気密材１９を新設ドア２の気密用段部２５に対して対接することによって、既設ドア枠１と新設ドア２の室内側の気密措置を、上記各例と異なるようにした例であって、本例にあって、上記気密材１９は、既設ドア枠１、即ち、その上枠１１、下枠１２、戸当側縦枠１４及び吊元側縦枠１３の各戸当段部１６に、断面Ｕ字状乃至Ｌ字状、本例にあっては断面Ｌ字状の気密材受条１８を設置し、該気密材受条１８の気密材受溝に、気密材１９の嵌合基部を嵌合固定して、その膨出先端を、新設ドア２の気密用段部２５の見付面に対接することによって、該戸当段部１６と新設ドア２間の気密性を確保したものとしてあり、このとき上記気密材受条１８の戸当段部１６への固定は、その底板を戸当段部１６に対接し、該底板側からのネジでネジ止めすることによって、これを行なってある。従って、上記図１乃至図８の例にあって、該既設ドア枠１の戸当段部１６と新設ドア２間の気密性を、新設ドア２の気密用段部２５に気密材２７を設置することによって行なったものに対して、該気密材１９を、新設ドア２の気密用段部２５のスペースを利用して、逆に既設ドア枠１側に設置した例である。本例にあって該気密材１９の配置以外の構造は、その鋼製の端部枠３を含めて、上記図２及び図３のものと同様にしてある。
【００２９】
図３乃至図１０における、その余の構成は、上記図１及び図２に示した例と変わらないので、それぞれ同一の符号を付して、その重複する説明を省略する。
【００３０】
図示した例は以上のとおりとしたが、上記図１乃至図８の、上記既設ドア枠の戸当段部と新設ドア間の気密性確保を、上記図９及び図１０の例のものとすること、該図９及び図１０の端部枠に気密材を同様に配置したものとすること、該端部枠を上記アルミ製のものとすること等を含めて、本発明の実施に当って、既設ドア枠、新設ドア、気密材、端部枠、張出突条、必要に応じて用いる張出突条の室内側の気密材等の具体的形状、構造、材質、これらの関係、これらに対する付加等は、上記発明の要旨に反しない限り様々な形態のものとすることができる。
【符号の説明】
【００３１】
Ａ  改装ドア
１  既設ドア枠
１１  上枠
１２  下枠
１３  吊元側縦枠
１４  戸当側縦枠
１５  室外側見込面
１６  戸当段部
１７  室内側見込面
１８  気密材受条
１９  気密材
２  新設ドア
２１  新設ヒンジ
２２  中骨
２３  表面板
２４  防音断熱材
２５  気密用段部
２６  気密材固定条
２７  気密材
３  端部枠
３１  枠基部
３２  張出突条
３３  傾斜条
３４  ネジ
３５  Ｌ字部
３６  補強芯材
４  気密材受条
４１  気密材
４２  固定フィン
【図１】
2010255226.tif 000003
【図２】
2010255226.tif 000004
【図３】
2010255226.tif 000005
【図４】
2010255226.tif 000006
【図５】
2010255226.tif 000007
【図６】
2010255226.tif 000008
【図７】
2010255226.tif 000009
【図８】
2010255226.tif 000010
【図９】
2010255226.tif 000011
【図１０】
2010255226.tif 000012